(57)【特許請求の範囲】
【請求項１】
ディスクの内周面が固定されるセンタリングベースと、
前記センタリングベースの外周面に沿って一定の間隔で配置される複数のチャックチップと、
前記センタリングベースの外周面に沿って形成され、前記ディスクの装着時、前記センタリングベースの径方向に回転しながら前記ディスクの内周面を外径方向に加圧する複数の弾性支持部と
を含み、
前記複数の弾性支持部のそれぞれは、
前記センタリングベースから外径方向に突出され、前記センタリングベースにおいて前記チャックチップと対向するように形成されるフレームと、
前記フレームの端から前記センタリングベースの外周縁に沿って前記フレームの両側にそれぞれ延長される弾性部と、
前記弾性部の端に形成され、前記ディスクの内周面と接触する爪と
を含むディスクチャッキング装置。
【請求項２】
前記弾性支持部は、
前記センタリングベースの外周縁に溝の形態に形成される支持部収容部内に形成されることを特徴とする請求項１に記載のディスクチャッキング装置。
【請求項３】
前記複数の弾性支持部に備えられる前記フレームの端を連結して形成される円は、前記センタリングベースの外周縁と対応することを特徴とする請求項１または２に記載のディスクチャッキング装置。
【請求項４】
前記フレームの下部面は、
前記センタリングベースの下部面に沿って外径方向に延長されることを特徴とする請求項１から３のいずれか１項に記載のディスクチャッキング装置。
【請求項５】
前記フレームの下部面は、
前記センタリングベースの下部面とは異なる平面上に配置されることを特徴とする請求項１から３のいずれか１項に記載のディスクチャッキング装置。
【請求項６】
前記弾性部は、
下部面が前記フレームの下部面と同一平面上に延長して形成されることを特徴とする請求項１から４のいずれか１項に記載のディスクチャッキング装置。
【請求項７】
前記弾性部は、
下部面が前記フレームの下部面と異なる平面上に配置されることを特徴とする請求項１から３および５のいずれか１項に記載のディスクチャッキング装置。
【請求項８】
前記爪は、
前記フレームの端から両側に延長される前記弾性部の両端に夫々形成されることを特徴とする請求項１から７の何れか１項に記載のディスクチャッキング装置。
【請求項９】
前記爪は、
前記ディスクの内周面と対向する外部面から突出して形成され、前記ディスクの内周面と接触する突出部を備えることを特徴とする請求項１から８の何れか１項に記載のディスクチャッキング装置。
【請求項１０】
前記ディスクの内周面と接触する前記爪の接触面を連結して形成される円の直径は、前記センタリングベースの直径より大きいことを特徴とする請求項１から９の何れか１項に記載のディスクチャッキング装置。
【請求項１１】
前記爪は、
前記ディスクの内周面と対向する外部面の上側が傾斜面に形成されることを特徴とする請求項１から１０の何れか１項に記載のディスクチャッキング装置。
【請求項１２】
前記爪の前記傾斜面の最上端を連結して形成される円の直径は、前記センタリングベースの直径より小さいことを特徴とする請求項１１に記載のディスクチャッキング装置。
【請求項１３】
前記弾性支持部から外径方向に突出して形成され、上部面に前記ディスクの下部面が面接触される支持板をさらに含むことを特徴とする請求項１から１２の何れか１項に記載のディスクチャッキング装置。
【請求項１４】
前記支持板は、
前記フレームの端から突出して形成されることを特徴とする請求項１３に記載のディスクチャッキング装置。
【請求項１５】
請求項１から１４の何れか一つに記載のディスクチャッキング装置と、
上部に前記ディスクチャッキング装置が搭載されるローターと、
電磁気結合によって前記ローターを回転させるステーターと
を含むモーター。
【請求項１６】
請求項１から１５の何れか一つに記載のディスクチャッキング装置を備えるモーターと、
前記ディスクを光学的に記録または再生する光ピックアップ機構と、
前記光ピックアップ機構を前記ディスクの直径方向に移送させる移送機構と
を含むディスク駆動装置。
【発明の詳細な説明】
【技術分野】
【０００１】
本発明は、ディスクのセンタリング及びディスクチャッキング性能を向上させるために、ディスクの爪構造を改善したディスクチャッキング装置、モーター及びこれを搭載したディスク駆動装置に関する。
【背景技術】
【０００２】
一般的に、ディスク駆動装置内に設けられるスピンドルモーター（ｓｐｉｎｄｌｅ  ｍｏｔｏｒ）は、光ピックアップ機構がディスク（ｄｉｓｃ）に記録されたデータを読み取ることができるようにディスクを回転させる。
【０００３】
ディスクはスピンドルモーターに備えられるディスクチャッキング（Ｄｉｓｃ  ｃｈｕｃｋｉｎｇ）装置に装着及び固定され、モーターの回転によってともに回転する。
【０００４】
この際、ディスクはその内周面がディスクチャッキング装置のセンタリングベース（ｃｅｎｔｅｒｉｎｇ  ｂａｓｅ）の外周面に圧入して装着され、ディスクの中心とセンタリングベースの中心とが一致しなければディスクの記録や再生性能の信頼性が維持されない。
【先行技術文献】
【特許文献】
【０００５】
【特許文献１】韓国登録特許第１０−０９４６３７６号公報
【０００６】
従来のディスクチォックチング装置は、センタリングベースの外周面に挿入されたディスクがモーター駆動時に分離することを防止するために、多数のチャックチップ（ｃｈｕｃｋ  ｃｈｉｐ）と爪（ｃｌａｗ）とを備える。
【０００７】
爪はセンタリングベースに固定装着されたディスクの内周面に弾性力を提供する。
【０００８】
従来の場合、爪はセンタリングベースの上部面に固定され、下方に向かって突出された部分を介してディスクに弾性力を提供する。しかし、このような従来の爪構造には、ディスクの装着時、上記突出部分が内径方向に押込まれることにより、ディスクの内部面と爪の外部面とが強固に密着できなくなるという問題がある。
【０００９】
このような従来の爪構造により、爪の弾性力はディスクに水平に伝達されず、ディスクの上方に向かって伝達される。これにより、ディスクの回転時、ディスクに振れが発生する可能性があり、このような問題は高密度のディスク（例えば、ブルーレイディスクなど）でさらに酷くなる。
【００１０】
また、従来の爪は上述のようにディスクと強固に密着できず、モーターの駆動時にディスクの中心とセンタリングベースの中心とが一致しないため、ディスクの記録や再生性能が低下するという問題がある。
【発明の概要】
【発明が解決しようとする課題】
【００１１】
本発明の目的は、ディスクのセンタリング及びディスクチャッキング性能を向上させるために、水平に移動して弾性力を提供する爪を備えるディスクチャッキング装置を提供することにある。
【００１２】
本発明の他の目的は、前記ディスクチャッキング装置を含むモーターを提供することにある。
【００１３】
本発明のさらに他の目的は、前記モーターを搭載するディスク駆動装置を提供することにある。
【課題を解決するための手段】
【００１４】
本発明の一実施例によるディスクチャッキング装置は、ディスクの内周面が固定されるセンタリングベースと、上記センタリングベースの外周面に沿って一定の間隔で配置される多数のチャックチップと、上記センタリングベースで上記チャックチップの反対方向に形成され、上記ディスクの装着時、水平に回転しながら上記ディスクの内周面を外径方向に加圧する多数の弾性支持部と、を含むことを特徴とする。
【００１５】
本発明の実施例による上記弾性支持部は、上記センタリングベースの外周縁に溝の形態に形成される支持部収容部内に形成されることができる。
【００１６】
本発明の実施例による上記弾性支持部は、上記センタリングベースから外径方向に突出されるフレームと、上記フレームから上記センタリングベースの外周縁に沿って延長される弾性部と、上記弾性部の端に形成され、上記ディスクの内周面と接触する爪と、を含むことができる。
【００１７】
本発明の実施例による多数の上記弾性支持部に備えられる上記フレームの端を連結して形成される円は、上記センタリングベースの外周縁と対応することができる。
【００１８】
本発明の実施例による上記フレームの下部面は、上記センタリングベースの下部面から水平に延長されることができる。
【００１９】
本発明の実施例による上記フレームの下部面は、上記センタリングベースの下部面とは異なる平面上に配置されることができる。
【００２０】
本発明の実施例による上記弾性部は、上記フレームの端から上記センタリングベースの外周縁に沿って両側に突出される形態に形成されることができる。
【００２１】
本発明の実施例による上記弾性部は、下部面が上記フレームの下部面から水平に延長して形成されることができる。
【００２２】
本発明の実施例による上記弾性部は、下部面が上記フレームの下部面と異なる平面上に配置されることができる。
【００２３】
本発明の実施例による上記爪は、上記フレームの端から両側に突出される上記弾性部の両端に夫々形成されることができる。
【００２４】
本発明の実施例による上記爪は、上記ディスクの内周面と対向する外部面から突出して形成され、上記ディスクの内周面と接触する突出部を備えることができる。
【００２５】
本発明の実施例による上記ディスクの内周面と接触する上記爪の接触面を連結して形成される円の直径は、上記センタリングベースの直径より大きいことができる。
【００２６】
本発明の実施例による上記爪は、上記ディスクの内周面と対向する外部面の上側が傾斜面に形成されることができる。
【００２７】
本発明の実施例による上記爪の上記傾斜面の最上端を連結して形成される円の直径は、上記センタリングベースの直径より小さいことができる。
【００２８】
本発明の実施例による上記弾性支持部から外径方向に突出して形成され、上部面に上記ディスクの下部面が面接触される支持板をさらに含むことができる。
【００２９】
本発明の実施例による上記支持板は、上記フレームの端から突出して形成されることができる。
【００３０】
また、本発明によるモーターは、上記の何れか一つのディスクチャッキング装置と、上部に上記ディスクチャッキング装置が搭載されるローターと、電磁気結合によって上記ローターを回転させるステーターと、を含むことができる。
【００３１】
また、本発明によるディスク駆動装置は、上記の何れか一つのディスクチャッキング装置を備えるモーターと、上記ディスクを光学的に記録または再生する光ピックアップ機構と、上記光ピックアップ機構を上記ディスクの直径方向に移送させる移送機構と、を含むことができる。
【発明の効果】
【００３２】
上述のように構成される本発明によるディスクチャッキング装置、モーター及びこれを搭載するディスク駆動装置は、爪がディスクの内周面を水平に加圧する。従って、爪が変形することなく、爪の突出面全体にわたってディスクの内周面を支持することができる。従って、従来より安定的にディスクを支持することができる。
【００３３】
また、本発明によるディスクチャッキング装置は、多数（例えば、６個）の爪を用いてディスクを支持するため、従来に比べて加圧力を多数の方向に分散させることができる。従って、ディスクをより安定的に支持することができ、ディスクの回転時にディスクがディスクチャッキング装置で片側に傾くことを防止することができる。
【００３４】
これにより、ディスクの中心とセンタリングベースの中心とが一致し、ディスクの記録や再生性能の信頼性が向上する効果がある。
【図面の簡単な説明】
【００３５】
【図１】本発明の実施例によるモーターを図示した概略断面図である。
【図２】本発明の実施例によるディスクチャッキング装置の平面図である。
【図３】本発明の実施例によるディスクチャッキング装置の平面図である。
【図４】図２のＸ−Ｘ'に沿った断面図である。
【図５】本発明の実施例による弾性支持部を図示した部分斜視図である。
【図６】本発明の他の実施例によるディスクチャッキング装置の弾性支持部を図示した斜視図である。
【図７】本発明のさらに他の実施例によるディスクチャッキング装置の弾性支持部を図示した斜視図である。
【図８】図７のＹ−Ｙ'に沿った断面図である。
【図９】本発明の実施例によるディスク駆動装置の概略断面図である。
【発明を実施するための形態】
【００３６】
本発明を詳細に説明するに当たり、以下で説明される本明細書及び請求範囲に用いられた用語や単語は通常的かつ辞書的な意味に限定して解釈されてはならず、発明者が自らの発明を最善の方法で説明するために用語の概念を適切に定義することができるという原則にしたがって本発明の技術的思想にかなう意味と概念に解釈されなければならない。従って、本明細書に記載された実施例と図面に図示された構成は本発明のもっとも好ましい実施例に過ぎず、本発明の技術的思想の全部を代弁しているわけではないため、本出願時点においてこれらを代替することができる多様な均等物と変形例があり得ることを理解しなければならない。
【００３７】
以下、添付の図面を参照して本発明の好ましい実施例を詳細に説明する。この際、添付の図面で同一の構成要素はできるだけ同一の符号で示していることに留意しなければならない。また、本発明の要旨を不明瞭にする可能性がある公知機能及び構成に対する詳細な説明は省略する。同じ理由から、添付図面において一部の構成要素は誇張、省略、または概略的に図示されており、各構成要素の大きさは実際の大きさを必ず反映するものではない。
【００３８】
一方、方向に対する用語を定義すると、軸方向は図１を参照して、シャフト５０を基準に上下方向を意味し、外径または内径方向はシャフト５０を基準にローター２０の外側端方向、またはローター２０の外側端を基準にシャフト５０の中心方向を意味する。
【００３９】
図１は本発明の実施例によるモーターを図示した概略断面図である。
【００４０】
図１を参照すると、本発明の実施例によるモーター１０は、ディスクＤを回転させる光ディスクドライブに適用されるスピンドルモーターであることができ、大別してローター２０とステーター４０とに区分される。
【００４１】
ローター２０は、ステーター４０のコイル４４と対応する環状のマグネット２５を外周部に備えるカップ状のローターケース２２を備える。この際、マグネット２５は円周方向にＮ極、Ｓ極が交互に着磁され、一定の強さの磁気力を発生する永久磁石である。
【００４２】
ローターケース２２は、シャフト５０が圧入締結されるローターハブ２６と、環状のマグネット２５を内周面に配置するマグネット結合部２８と、からなる。ローターハブ２６は軸方向上側に折り曲げられてシャフト５０と締結され、ローターハブ２６の外周面にはディスクＤが装着されるディスクチャッキング装置１００が搭載される。
【００４３】
また、ローターケース２２の上部面にはディスクＤの下部面を支持し、ディスクＤの回転時にディスクＤの滑りを防止するディスク支持部材８０が備えられることができる。ディスク支持部材８０は円形の環状に形成されることができ、ディスクＤの下部面と接触する時に摩擦力を提供できるように、ゴム材質からなることができる。
【００４４】
ステーター４０は回転する部材を除いた全ての固定部材を意味し、ローター２０のマグネット２５との電磁気結合によってローター２０を回転させる。このために、ステーター４０は、回路基板６２が設けられるベースプレート６０と、シャフト５０を支持するスリーブ５２と、スリーブ５２とベースプレート６０とを固定締結させるスリーブホルダー７０と、スリーブホルダー７０に固定されるコア４２と、コア４２に巻線される巻線コイル４４と、を含むことができる。
【００４５】
このような本実施例によるモーター１０は、マグネット２５が巻線コイル４４と対向するように配置され、マグネット２５と巻線コイル４４との電磁気的相互作用によってローター２０が回転するようになる。この際、ローターケース２２の回転により、ローターケース２２の上部面に締結されているディスクチャッキング装置１００もともに回転するようになる。
【００４６】
このような本実施例によるモーター１０のディスクチャッキング装置１００は、水平に移動しながらディスクＤを支持する弾性支持部２００を備える。以下、本実施例によるディスクチャッキング装置１００についてより詳細に説明する。
【００４７】
図２及び図３は本発明の実施例によるディスクチャッキング装置の平面図である。また、図４は図２のＸ−Ｘ'に沿った断面図であり、図５は本発明の実施例による弾性支持部を図示した部分斜視図である。
【００４８】
図２から図５をともに参照すると、本発明のディスクチャッキング装置１００は、センタリングベース１２０と、チャックチップ１６０と、弾性支持部２００と、を含むことができる。
【００４９】
センタリングベース１２０は、ローターケース２２の軸方向上部に配置され、上部面を形成する円形の平板部１２２と、平板部１２２の外周縁から軸方向下側に延長される外周部１２４と、ガイドボス１４０と、を含むことができる。
【００５０】
ここで、ガイドボス１４０はセンタリングベース１２０の中心に形成され、平板部１２２の中心から軸方向下側に延長して形成される。また、ガイドボス１４０の内部には円筒状の貫通孔であるボスホール１４２が形成され、ボスホール１４２にはローターケース２２のローターハブ２６が挿入固定される。
【００５１】
また、センタリングベース１２０は外周面に多数のチャックチップ収容部１２６と弾性支持部２００とを備える。
【００５２】
チャックチップ収容部１２６はセンタリングベース１２０の外周縁に沿って多数個が溝形態に形成され、後述するチャックチップ１６０が収容される空間として利用される。
【００５３】
チャックチップ収容部１２６に収容されるチャックチップ１６０は、ディスクチャッキング装置１００に装着されるディスクＤが、モーター１０の駆動時に回転力によってディスクチャッキング装置１００から分離することを防止するために備えられる。
【００５４】
チャックチップ１６０は、一部分がセンタリングベース１２０のチャックチップ収容部１２６に収容されてセンタリングベース１２０と結合される。この際、チャックチップ１６０の一端はセンタリングベース１２０の外部に突出され、センタリングベース１２０の外周面に介在されるディスクＤを外径側と軸方向下側に加圧する。
【００５５】
このようなチャックチップ１６０は弾力的にディスクＤを加圧する。このために、チャックチップ１６０とガイドボス１４０との間にはチャックチップ１６０に弾性力を提供する弾性部材１８０が介在される。また、チャックチップ１６０とガイドボス１４０の外部面には、弾性部材１８０の一端を固定するための固定突起１４５、１６５が夫々形成されることができる。
【００５６】
弾性支持部２００はセンタリングベース１２０の外周部に沿って多数個が配置される。より具体的には、弾性支持部２００は、センタリングベース１２０でチャックチップ１６０の反対側外周部に配置され、ディスクＤの装着時にチャックチップ１６０を補助してディスクＤがディスクチャッキング装置１００から分離することを防止する。
【００５７】
本実施例の場合、３個のチャックチップ１６０が一定間隔でセンタリングベース１２０上に配置されるディスクチャッキング装置１００を例としている。
【００５８】
従って、本実施例による弾性支持部２００は、チャックチップ１６０の配置に対応してチャックチップ１６０と同様に３個が形成される。これにより、弾性支持部２００とチャックチップ１６０はセンタリングベース１２０の外周縁に沿って交互に配置される形態に形成される。しかし、発明による弾性支持部２００はこれに限定されず、チャックチップ１６０の数と配置形態に応じて多様に変形されることができる。
【００５９】
弾性支持部２００は、センタリングベース１２０の外周面に溝形態に形成される支持部収容溝２０１内に形成され、フレーム２１０と、弾性部２２０と、爪２３０と、を含んで構成されることができる。
【００６０】
フレーム２１０はセンタリングベース１２０の支持部収容溝２０１から外径方向に突出される形態に形成される。この際、図３に図示されたように、フレーム２１０の端が連結されて形成する円Ｓ１は、センタリングベース１２０の外周縁と同一の直径を有するように形成されることができる。
【００６１】
また、本実施例によるフレーム２１０はセンタリングベース１２０の下部面に沿って水平に突出される。
【００６２】
弾性部２２０はフレーム２１０の端からセンタリングベース１２０の外径に沿って両側に延長して形成される。従って、弾性部２２０はフレーム２１０と同様にセンタリングベース１２０の下部面に沿って突出される。
【００６３】
また、本実施例による弾性部２２０はセンタリングベース１２０の外周縁に対応する形態にフレーム２１０から延長される。これにより、弾性部２２０はフレーム２１０に締結されている一端を回転中心として、図５のＡ、Ｂ方向に弾力的に移動可能であるように構成される。
【００６４】
このような弾性部２２０の両端には夫々爪２３０が形成される。
【００６５】
爪２３０は弾性部２２０の両端に夫々締結され、ディスクチャッキング装置１００に載置されたディスクＤの内周面と直接接触し、ディスクＤを外径方向に加圧する。
【００６６】
このために、本実施例による爪２３０は、ディスクの内周面と対向する外部面に少なくとも一つの突出部２３２を備えることができる。
【００６７】
突出部２３２はディスクＤの内周面と直接接触する。一方、本実施例によるディスクチャッキング装置１００にディスクＤが正確に装着されると、ディスクＤの内周面はセンタリングベース１２０と接触せず、弾性支持部２００の突出部２３２及びチャックチップ１６０と直接的に接触するようになる。
【００６８】
従って、図３に図示されたように、ディスクＤの内周面と接触する突出部２３２の接触面を連結して形成される円Ｓ２の直径は、センタリングベース１２０の外周縁（例えば、Ｓ１）の直径より大きく形成される。
【００６９】
また、本実施例による爪２３０は外部面の上側が傾斜面２３４に形成される。この際、爪２３０の傾斜面２３４の最上端を連結して形成される円Ｓ３の直径は、センタリングベース１２０の外周縁Ｓ１の直径より小さく形成される。従って、ディスクチャッキング装置１００にディスクＤが装着される時、各爪２３０の上端部がディスクＤの孔に容易に挿入されることができる。
【００７０】
また、上記傾斜面２３４は図５に図示されたように、曲面に形成されることができる。このように傾斜面２３４を曲面に形成する場合、ディスクＤをより容易に挿入できるように、曲面の曲率を爪２３０の高さに応じて形成することができる。
【００７１】
しかし、本発明はこれに限定されず、傾斜面２３４を曲面でなく平らな面に形成するなど、多様な応用が可能である。
【００７２】
一方、本実施例の場合、支持部収容溝２０１はセンタリングベース１２０の外周縁に弧形状の溝に形成される。しかし、本発明はこれに限定されず、角張った溝または楕円状の溝など、必要に応じて多様な形状に形成されることができる。
【００７３】
このような本実施例による弾性支持部２００は、ディスクチャッキング装置１００にディスクＤが装着されると、ディスクＤによって加圧された爪２３０が弾性部２２０によって内径方向（即ち、図５のＢ方向）に水平に回転しながら移動するようになる。
【００７４】
これにより、爪２３０は弾性部２２０から提供される弾性力によって外径方向（即ち、図５のＡ方向）にディスクＤを持続的に加圧するようになる。
【００７５】
上述のように構成される本実施例によるディスクチャッキング装置１００は、図３に図示されたように、チャックチップ１６０によってディスクＤの内周面Ｓ１が３方向に加圧され、これと同時に弾性支持部２００によってディスクＤの内周面Ｓ１が６方向に加圧される。
【００７６】
この際、弾性支持部２００は回転による弾性を提供するため、外径方向に加圧する加圧力Ｆ１と、回転力による加圧力Ｆ２との合力Ｆ３をディスクＤに提供するようになる。
【００７７】
従って、外径方向への加圧力Ｆ１のみを提供する従来より強い加圧力を提供することができる。
【００７８】
また、本実施例による弾性支持部２００は、６個の爪２３０を用いてディスクＤを支持する。従って、３個の爪２３０でディスクＤを支持する従来に比べて加圧力を多数の方向に分散させることができるため、ディスクＤをより安定的に支持することができる。
【００７９】
また、本実施例による弾性支持部２００は、図４に図示されたように、フレーム２１０がセンタリングベース１２０の下部面に沿って外径方向に突出される。即ち、フレーム２１０の下部面はセンタリングベース１２０の下部面から水平に延長される。そして、図５に図示されたように、フレーム２１０から延長される弾性部２２０と爪２３０の下部面はフレーム２１０の下部面から水平に延長される。
【００８０】
従って、ディスクチャッキング装置１００にディスクＤが装着される場合、弾性部２２０が爪２３０の下部を支持するようになるため、爪２３０の突出部２３２の突出面全体にわたってディスクの内周面を支持することができる。従って、従来より安定的にディスクを支持することができる。
【００８１】
また、本実施例による弾性支持部２００はフレーム２１０の端がセンタリングベース１２０の外周縁上に配置される。従って、ディスクＤの回転時、弾性支持部２００による加圧力より大きい力が加圧力に対向してディスクＤに印加される場合、ディスクＤの内周面はフレームの端に接触するようになり、これによりディスクＤはフレームによって支持される。
【００８２】
上述したような本実施例による弾性支持部２００は、ディスクＤの回転時にディスクＤが最小限の範囲内で移動するように構成されるため、ディスクＤの回転時にディスクＤが片側に過度に傾くことを防止することができる。
【００８３】
一方、本発明によるディスクチャッキング装置は上述の構成に限定されず、多様な応用が可能である。
【００８４】
以下で説明するディスクチャッキング装置は、上述した実施例のディスクチャッキング装置（図１の１００）と類似して構成され、部分的な構成においてのみ差異を有する。従って、上述した実施例と同様に構成される要素についての詳細な説明は省略し、相違する構成について重点的に説明する。
【００８５】
図６は本発明の他の実施例によるディスクチャッキング装置の弾性支持部を図示した斜視図である。ここで、図６は図５に図示された図面と対応する部分を図示している。
【００８６】
図６を参照すると、本実施例による弾性支持部３００は、上述の実施例と同様に、センタリングベース１２０の外周面に溝形態に形成される支持部収容溝２０１内に形成され、フレーム３１０と、弾性部３２０と、爪３３０と、を含んで構成されることができる。
【００８７】
フレーム３１０はセンタリングベース１２０の支持部収容溝２０１から外径方向に突出される形態に形成される。この際、本実施例によるフレーム３１０は、下部面がセンタリングベース１２０の下部面とは異なる平面上に配置されるように、センタリングベース１２０から突出して形成されることを特徴とする。
【００８８】
より具体的には、本実施例によるフレーム３１０はセンタリングベース１２０の上部面、即ち、平板部１２２から延長して形成され、フレーム３１０の下部面はセンタリングベース１２０の下部面（または、ローターケースの上部面）から離隔される。
【００８９】
このようなフレーム３１０の構成により、フレーム３１０の下部面と弾性部３２０の下部面とは相違する平面上に配置される。しかし、必要に応じて同一の平面上に配置されるように構成するなど、多様な応用が可能である。
【００９０】
また、本実施例によるフレーム３１０は、その端が軸方向下側に延長されて弾性部３２０と連結される。従って、弾性部３２０と連結されるフレーム３１０の端の上部面は、ディスク装着時にディスクの内部面と接触することができるため、曲面に形成される。しかし、これに限定されず、傾斜面に形成するなど、多様な応用が可能である。
【００９１】
一方、弾性部３２０と爪３３０は上述した実施例の弾性部（図５の２２０）及び爪（図５の２３０）と同様に構成されることができるため、これについての具体的な説明は省略する。
【００９２】
このようにフレーム３１０がセンタリングベースの下部面でなく上部面から延長して形成される場合、ディスクチャッキング装置に装着されるディスクＤに弾性部３２０によるＡ方向の加圧力だけでなく、フレーム３１０によるＣ方向の加圧力も提供することができる。従って、ディスクＤの内周面に多様な方向の加圧力を提供することができるため、より安定的な装着が可能である。
【００９３】
図７は本発明のさらに他の実施例によるディスクチャッキング装置の弾性支持部を図示した斜視図であり、図８は図７のＹ−Ｙ'に沿った断面図である。ここで、図７は図５に図示された図面と対応する部分を図示している。
【００９４】
図７及び図８を参照すると、本実施例による弾性支持部４００は、上述の実施例と同様に、センタリングベース（図２の１２０）の外周面に溝形態に形成される支持部収容溝（図２の２０１）内に形成され、フレーム４１０と、弾性部４２０と、爪４３０と、支持板４４０とを、含んで構成されることができる。
【００９５】
本実施例の場合、フレーム４１０、弾性部４２０、及び爪４３０は、上述の図５の弾性支持部２００と同様に構成されることができる。従って、これについての説明は省略する。
【００９６】
支持板４４０はフレーム４１０の端から外径方向に突出して形成される。この際、支持板４４０はフレーム４１０の下部面に沿って突出される。
【００９７】
これにより、支持板４４０は、下部面がディスクチャッキング装置の下部に配置されるローターケース２２と面接触するように構成される。
【００９８】
また、本実施例による支持板４４０の厚さは、ローターケース２２上に配置されるディスク支持部材８０の厚さに対応して形成される。即ち、支持板４４０は上部面がディスク支持部材８０の上部面と同一の平面上に配置されるように形成される。
【００９９】
これにより、ディスクチャッキング装置に載置されるディスクＤは下部面が支持板４４０の上部面及びディスク支持部材８０の上部面とともに面接触して支持される。
【０１００】
このような本実施例による弾性支持部４００は、ディスク支持部材８０だけでなく、支持板４４０をともに利用してディスクＤの下部面を支持するため、ディスクＤの回転時、回転力によってディスクＤとローターケース２２との間の圧力変化によってディスクＤに振動が発生することを防止することができる。
【０１０１】
一方、本実施例では支持板４４０がフレーム４１０の端から外径方向に突出する場合を例として説明するが、本発明はこれに限定されない。即ち、支持板４４０を弾性部４２０や爪４３０から外径方向に突出するように形成するなど、必要に応じて多様な応用が可能である。
【０１０２】
図９は本発明の実施例によるディスク駆動装置の概略断面図である。
【０１０３】
図９を参照すると、本発明の実施例によるディスク駆動装置１は、上述の実施例による図１に図示されたモーター１０が搭載される。
【０１０４】
また、本実施例によるディスク駆動装置１は、フレーム２と、光ピックアップ機構４と、移動機構６と、を含むことができる。
【０１０５】
フレーム２はディスク駆動装置１のケースの役割をし、内部にモーター１０のベースプレート６０が固定される。
【０１０６】
光ピックアップ機構４はモーター１０に載置されるディスクＤの下部空間で移動可能に設けられ、ディスクＤからデータを受信する。
【０１０７】
移動機構６は光ピックアップ機構４をディスクＤの直径方向に移送させ、ディスクＤの全面に亘ってデータの受信機能を果たすようにする。
【０１０８】
以上のように構成される本発明によるディスクチャッキング装置、モーター及びこれを搭載するディスク駆動装置は、爪がディスクの内周面を水平に加圧する。従って、爪が変形することなく、爪の突出面全体にわたってディスクの内周面を支持することができる。従って、従来より安定的にディスクを支持することができる。
【０１０９】
また、本発明によるディスクチャッキング装置は多数（例えば、６個）の爪を用いてディスクを支持するため、従来に比べて加圧力を多数の方向に分散させることができる。従って、ディスクをより安定的に支持することができ、ディスクの回転時、ディスクがディスクチャッキング装置で片側に傾くことを防止することができる。
【０１１０】
これにより、ディスクの中心とセンタリングベースの中心とが一致し、ディスクの記録や再生性能の信頼性が向上する効果がある。
【０１１１】
一方、以上で説明した本発明によるディスクチャッキング装置、モーター及びこれを搭載したディスク駆動装置は、上述の実施例に限定されず、多様な応用が可能である。
【０１１２】
例えば、上述の実施例ではフレームがセンタリングベースの上部面や下部面から延長して形成される場合を例として説明したが、本発明はこれに限定されない。即ち、フレームがセンタリングベースの外周部の中間部分から外径方向に延長されるように構成することも可能であり、センタリングベースの外周部全体から延長されるように構成するなど、必要に応じて多様な応用が可能である。
【０１１３】
また、上述の実施例では弾性部がセンタリングベースの外周縁に沿って形成される場合を例として説明したが、本発明はこれに限定されない。即ち、弾性部がフレームの内側から外径方向に突出される形態に形成するなど、爪の突出部がディスクの内周面と接触する同時に爪に弾性力を提供することができれば、多様な形態に形成されることができる。
【０１１４】
さらに、本実施例ではディスク駆動装置に搭載されるディスクチャッキング装置とモーターを例として説明したが、本発明はこれに限定されず、円形の貫通孔や溝が形成されたディスクを装着して回転させる器機であれば、幅広く適用されることができる。
【符号の説明】
【０１１５】
１  ディスク駆動装置
１０  モーター
２０  ローター
４０  ステーター
１００  ディスクチャッキング装置
２００、３００、４００  弾性支持部
２１０、３１０、４１０  フレーム
２２０、３２０、４２０  弾性部
２３０、３３０、４３０  爪
【図１】
0005288421.tif 000002
【図２】
0005288421.tif 000003
【図３】
0005288421.tif 000004
【図４】
0005288421.tif 000005
【図５】
0005288421.tif 000006
【図６】
0005288421.tif 000007
【図７】
0005288421.tif 000008
【図８】
0005288421.tif 000009
【図９】
0005288421.tif 000010